(57)【要約】  【課題】開扉力が小さく、使い勝手の良く、電力消費を低減できる扉装置を備えた冷蔵庫を提供する。  【解決手段】観音開式の扉１０７，１０８の裏面周縁に設けた第１のガスケット１３５と、第１のガスケットと部分的にシールされながら非枢支側の向かい合う側面に保持部材１２９，１３０の回動軸１２７，１２８によって回動可能に取り付けられた一対の第２のガスケット１３４を設け、保持部材１２９，１３０のラッチ部１２５，１２６と断熱箱体１０４側の突起部１１０を当接させて第２のガスケット１３４を動作させることにより、断熱箱体１０４と扉１０７，１０８間および扉１０７，１０８相互間を簡素な構成でガスケットと箱体間およびガスケット相互間が密閉シール、解除できる。また、当接長さが確保でき第１のガスケット１３５と第２のガスケット１３４間の熱侵入や冷気漏れによる結露を防止できる。【選択図】図４
2005207736.tif 000002
【特許請求の範囲】
【請求項１】
箱体の庫内開口部において外周部の一側面を対向させて配置した二つの扉と、前記二つの扉の対向する一側面以外の庫内側縁面に設けられ閉扉時に前記箱体の開口部前縁に密着する第１のガスケットと、前記二つの扉の対向する一側面に配置されて閉扉時に相互に密着する一対の第２のガスケットを備えて、前記第２のガスケットは、その両端部近傍において前記第１のガスケットとも当接しするものであり、前記第１のガスケットは、前記第２のガスケットが装着される扉の一側面の庫内側縁面に回り込む延出部を備え、前記延出部と前記第２のガスケットが当接することを特徴とする扉装置。
【請求項２】
箱体の庫内開口部の左右両側に回動自在に枢支された観音開き式の二つの扉と、前記二つの扉の対向する一側面以外の庫内側縁面に設けられ閉扉時に前記箱体の開口部前縁に密着する第１のガスケットと、前記二つの扉の対向する一側面に配置されて閉扉時に相互に密着する一対の第２のガスケットを備えて、前記第２のガスケットは、その両端部近傍において前記第１のガスケットとも当接しするものであり、前記第１のガスケットは、前記第２のガスケットが装着される扉の一側面の庫内側縁面に回り込む延出部を備え、前記延出部と前記第２のガスケットが当接することを特徴とする扉装置。
【請求項３】
第２のガスケットは、ガスケットより一体に延出したヒレ部によって第１のガスケットの側面と当接することを特徴とする請求項１または請求項２に記載の扉装置。
【請求項４】
前記第２のガスケット内には連続した複数対の空気層を相対向して設け、前記複数対の空気層のうち少なくとも一対に互いに吸着するマグネットを内包したことを特徴とする請求項１から請求項３のいずれか一項に記載の扉装置。
【請求項５】
第２のガスケットのうち少なくとも一方をガスケット同志が離れる方向に挙動する可動型のガスケットとしたことを特徴とする請求項１から請求項４のいずれか一項に記載の扉装置。
【請求項６】
請求項１から請求項５のいずれか一項に記載の扉装置を備えた冷蔵庫。
【発明の詳細な説明】
【技術分野】
【０００１】
本発明は、箱体の開口を密閉，開放させる扉装置およびこの扉装置を備えた冷蔵庫に関するものである。
【背景技術】
【０００２】
近年、冷蔵庫においては大型化に伴い、貯蔵室の開口部を二枚の扉によって開閉する、いわゆる観音開き式の扉装置を採用したものが供されている。従来の観音開き式の扉を有する冷蔵庫は両扉の裏面に設けたガスケットによって庫内を気密に保つため扉の非枢支側に位置するガスケットが当接する面を形成しなければ部ならず、そのため断熱箱体の開口部を区画する閉塞材を取り付けていた。
【０００３】
従来の扉装置としては例えば特開平１−２０８６９０号公報に示されているものがある。
【０００４】
以下、図面を参照しながら上記従来の扉装置を説明する。
【０００５】
図２０は従来の冷蔵庫の斜視図である。図２１は従来の冷蔵庫の正面図である。図２２は、従来の冷蔵庫の開口部平面断面図である。図２３は、従来の冷蔵庫の扉の斜視図である。
【０００６】
図２０から図２３において１は冷蔵庫であり、鋼板製の外箱２と合成樹脂を形成して成る内箱３と、両箱２，３間に充填される図示しない発泡断熱材とから前方に開口した断熱箱体４を構成し、この断熱箱体４の開口部５の左右縁部に上下ヒンジ６により回動自在に枢支された二枚の観音開き式扉７，８によって開口部５を開閉自在に構成している。
【０００７】
扉７，８のそれぞれの非枢支側に位置する部分で、断熱箱体の開口部５の縁部の上下にはガイド部材９がそれぞれ相対向して設けられている。ガイド部材９内には案内溝１０が形成されている。扉７，８は枠部材１１，１２とそれに係合される扉外板１３，１４から成る外枠１５，１６と、枠部材１１，１２の内フランジ１７，１８を当接して成る扉内板２１，２２と外枠１５，１６及び扉内板２１，２２間にそれぞれ発泡充填された断熱材２３とから構成されている。
【０００８】
扉内板２１，２２にはそれぞれ左右一対の縦壁２４，２５が形成され、また、枠部材１１，１２端部の溝２６，２７には磁石内蔵のガスケット２８が取り付けられ、そのヒレ２９は非枢支側の縦壁２４，２５にそれぞれ密接する。ガスケット２８は扉７，８の閉塞時に断熱箱体４の開口５の外箱２前縁に着磁して庫内３０をシールする。
【０００９】
さらに扉７の裏面の非枢支側に位置するガスケット２８より内側の縦壁２４の外側には断面略矩形状の仕切体３１が取り付けられる。３２はヒンジ板であり、縦壁２４の外側面において上下二箇所、断熱材側の補強板３３にネジ３４にて固定され、仕切体３１はこのヒンジ板３２の回動軸３５に回動自在に支持されている。仕切体３１は開口部５の縁部を上下に渡る長さであって上下のガイド部材９、９の案内溝１０、１０の間隔よりも少許短い寸法で上下に延在しており、前面は平面として図２０の如く鋼板３６が取り付けられている。
【００１０】
さらにその上下端には係合部として突起３７が上下方向にそれぞれ突出形成されている。ヒンジ板３２は仕切体３１の扉７側の後縁部に上下二箇所形成した切欠部３８より仕切体３１内に挿入されてそこに回動軸３５を位置せしめており、この回動軸３５にはコイルバネから成るバネ部材３９が挿通され、一端をヒンジ板３２に、また、他端を回動軸３５から離間した仕切体３１内の爪４０にそれぞれ係合しており、その復元力により仕切体３１を常時図７中矢印如く時計回りに回動する様構成されている。
【００１１】
以上のように構成された従来の扉装置について、以下その動作を説明する。
【００１２】
まず仕切体３１は扉７が開放された状態でバネ部材３９の復元力によって図２２中破線で示す如く、扉内板２１の縦壁２４外側面に沿ってネジ３４に当接した状態で保持されている。この初期状態において使用者の手が誤って仕切体３１に当たって図２２中反時計回りに回動させられても、バネ部材３９によって初期状態に復帰できる。この動作は仕切体３１の回動角度に無関係に行われるので仕切体３１が回動されたまま扉７が閉じられガイド部材９の突部に仕切体の突起３７が衝突して破損することを防止できる。
【００１３】
次に扉７を閉じていくと、やがて仕切体３１の突起３７が案内溝１０内に進入して案内溝１０内の曲面に沿って摺動し、それに伴い仕切体３１は回動軸３５を中心にバネ部材３９に抗して反時計回りに回動され、突起３７は案内溝１０の奥部に進入して行く。逆に扉７を開ける場合は突起３７が案内溝１０内の曲面に沿って摺動しバネ部材３９の復元力によって時計回りに回動させられ、やがて初期状態に復帰する。
【００１４】
このようにして、扉７の開閉に合わせて仕切体３１を回動させてガスケット２８とのシールを確実に行え、扉７，８の間の開口部５側に固定された仕切体を設ける必要がないので開口部５の間口が広く使える、としている。
【００１５】
また、他の従来の扉装置としては例えば特開昭５７−７３３８３号公報に示されているものがある。
【００１６】
以下、図面を参照しながら上記従来の扉装置を説明する。
【００１７】
図２４は従来の冷蔵庫の扉の開放状態を示す平面図である。図２５は従来の冷蔵庫の要部平面図である。
【００１８】
図２４，図２５において、４１は冷蔵庫本体であり、４２，４３は冷蔵庫本体４１の前面開口部に左右に取り付けられた観音開き式の扉である。また、４４，４５は扉４２，４３にそれぞれ取り付けられたガスケットであり、冷蔵庫本体４１の前面開口縁と密着するとともに、ガスケット４４，４５同志が扉４２，４３の向かい合う側面間で相互に密着して庫内外のシールを保つように構成されている。
【００１９】
４６，４７は冷蔵庫本体４１の側部において、扉４２，４３の枢支側に取り付けたヒンジであり、固定された突起部４８に対して扉４２，４３ごと左右方向に移動する係止部４９が閉扉時に係合するように構成されている。
【００２０】
５０は本体に固定された第１のヒンジピン、５１はドアを枢支し変位可能な第２のヒンジピンであり、スライダー５２によって相互に連結されている。５３は第１のヒンジピン５０に装着され扉を閉扉方向に付勢するバネである。
【００２１】
以上のような構成において、扉４２または４３を開けようとすると（以後は扉４２について説明する）、扉４２には係止部４９が突起部４８の突起の頂上部を乗り越える際に横向き（扉４２の外向き）の力が加わり、第１のヒンジピン５１を支点としてスライダー５２を介して扉４２が外側に変位しガスケット４４，４５の相互の密着状態を解除して扉を開放させる。
【００２２】
また、逆に扉４２を閉めようとすると、扉４２には係止部４９が突起部４８の突起の頂上部を乗り越える際に一旦外向きの力が加わるので扉４２が外側に変位してガスケット４４，４５間に隙を有した状態で近づいていき、係止部４９が突起部４８の突起の頂上部を乗り越えてしまうとガスケット４４，４５が相互に密着して冷蔵庫本体４１が扉４２，４３によって密閉される。
【００２３】
そして、開閉の際に扉４２，４３が外側に変位することによりガスケット４４，４５が回転軌跡上で競ることなく確実なシールが行える、としている。
【特許文献１】特開平１−２０８６９０号公報
【特許文献２】特開昭５７−７３３８３号公報
【発明の開示】
【発明が解決しようとする課題】
【００２４】
しかしながら、上記従来の構成は仕切体３１が扉７の縦壁２４の外側に取り付けられ両扉７，８の閉扉時にはガスケット２９により庫内３０の気密性は保たれるが、開扉時には仕切体３１が縦壁２４の外側を回動するため、回動するための空間を扉７，８内に設けなければならない。つまり縦壁２４，２５を扉の枢支側に移動させなければならない。このため扉７，８内の食品収納スペースが減少し食材収納においては使用者にとって使い勝手の悪い冷蔵庫となってしまう欠点があった。
【００２５】
また、扉７の開閉時、仕切体３１は突起３７がガイド部材９の案内溝１０に沿って９０度回動して摺動するため、突起３７と案内溝１０の摩擦係数が大きくなりよって扉７の開扉力が大きくなり扉開閉においては使用者にとって使い勝手の悪い冷蔵庫となってしまう欠点がある。さらには、使用者が扉を閉めたと思っても摩擦力とバネ部材３９の反発力により不完全な閉まり方になった場合には、庫内温度が上昇し食品鮮度を低下させるという欠点もある。
【００２６】
本発明は従来の課題を解決するもので、扉内側の食品収納スペースを有効に確保し、開扉力が小さく、使い勝手の良い扉装置を提供することを目的とする。
【００２７】
また、上記他の従来の構成においては、扉４２，４３間のシールをするために別途仕切板を設ける必要がなく、食品収納スペースを侵害する問題は解消されるが、ガスケット４４，４５の相互の密着状態を確保するために扉４２，４３全体を外側に変位させる必要があり、そのためにヒンジ４６，４７の機構が複雑になって耐久信頼性が懸念されるほかコスト的にも高価につく。また、使用者が操作して扉４２，４３の全体を変位させるために操作感が重く使い勝手がよくないという欠点があった。
【００２８】
本発明の他の目的は、耐久信頼性に優れコストの安価な仕切板を用いない扉装置を提供するとともに、使用者の操作性の向上を図ることである。
【課題を解決するための手段】
【００２９】
本発明の請求項１に記載の発明は、箱体の庫内開口部において外周部の一側面を対向させて配置した二つの扉と、前記二つの扉の対向する一側面以外の庫内側縁面に設けられ閉扉時に前記箱体の開口部前縁に密着する第１のガスケットと、前記二つの扉の対向する一側面に配置されて閉扉時に相互に密着する一対の第２のガスケットを備えて、前記第２のガスケットは、その両端部近傍において前記第１のガスケットとも当接しするものであり、前記第１のガスケットは、前記第２のガスケットが装着される扉の一側面の庫内側縁面に回り込む延出部を備え、前記延出部と前記第２のガスケットが当接するものであり、二つの扉間のシールを仕切体を用いずガスケット同志による簡素な構成で行うことができる。
【００３０】
また、閉扉状態において第１のガスケットと第２のガスケット間も当接シールされ庫内側外の密閉シールが行われる。
【００３１】
さらに、その当接面が双方のガスケットの長手方向であり当接長さも稼げてシールの確実性が高まる。
【００３２】
請求項２に記載の発明は、箱体の庫内開口部の左右両側に回動自在に枢支された観音開き式の二つの扉と、前記二つの扉の対向する一側面以外の庫内側縁面に設けられ閉扉時に前記箱体の開口部前縁に密着する第１のガスケットと、前記二つの扉の対向する一側面に配置されて閉扉時に相互に密着する一対の第２のガスケットを備えて、前記第２のガスケットは、その両端部近傍において前記第１のガスケットとも当接しするものであり、前記第１のガスケットは、前記第２のガスケットが装着される扉の一側面の庫内側縁面に回り込む延出部を備え、前記延出部と前記第２のガスケットが当接するものであり、観音開き式の扉間のシールを仕切体を用いずガスケット同志による簡素な構成で行うことができる。
【００３３】
また、閉扉状態において第１のガスケットと第２のガスケット間も当接シールされ庫内側外の密閉シールが行われる。
【００３４】
さらに、その当接面が双方のガスケットの長手方向であり当接長さも稼げてシールの確実性が高まる。
【００３５】
請求項３に記載の発明は、請求項１または請求項２に記載の発明において、第２のガスケットは、ガスケットより一体に延出したヒレ部によって第１のガスケットの側面と当接するものであり、ヒレ部の柔軟性によりシールバラツキを吸収できる。
【００３６】
請求項４に記載の発明は、請求項１から請求項３のいずれか一項に記載の発明に、さらに、複数対の空気層のうち少なくとも一対に互いに吸着するマグネットを内包したものであり、マグネットの吸着作用で閉扉時にガスケットが密着し、外部とのシール性が強化される。
【００３７】
請求項５に記載の発明は、請求項１から請求項４のいずれか一項に記載の発明において、第２のガスケットのうち少なくとも一方をガスケット同志が離れる方向に挙動する可動型のガスケットとしたものであり、開扉時には可動型のガスケットがガスケット同志の密着を解除する方向に動いて開扉力を低下させる。また、閉扉時にはガスケット同志を密着させる方向に動いて適切な位置関係で確実な密着性が得られる。またガスケットが扉の回転軌跡に沿ってこすれず、音の発生も抑えられる。
【００３８】
請求項６に記載の発明は、請求項１から請求項５のいずれか一項に記載の扉装置を備えた冷蔵庫であり、仕切体を用いず二つの扉間がガスケット同志による簡素な構成で、断熱シールされる。
【発明の効果】
【００３９】
本発明の請求項１に記載の発明は、箱体の庫内開口部において外周部の一側面を対向させて配置した二つの扉と、前記二つの扉の対向する一側面以外の庫内側縁面に設けられ閉扉時に前記箱体の開口部前縁に密着する第１のガスケットと、前記二つの扉の対向する一側面に配置されて閉扉時に相互に密着する一対の第２のガスケットを備えて、前記第２のガスケットは、その両端部近傍において前記第１のガスケットとも当接するものであり、前記第１のガスケットは、前記第２のガスケットが装着される扉の一側面の庫内側縁面に回り込む延出部を備え、前記延出部と前記第２のガスケットが当接するので、二つの扉間のシールを仕切体を用いずガスケット同志による簡素な構成で行うことができ庫内スペースの有効活用やコスト低減が図れる。
【００４０】
また、閉扉状態においてガスケットと箱体間およびガスケット相互間が密閉シールできる。
【００４１】
また、当接長さが確保でき第１および第２のガスケット間のシールの信頼性を高めて、熱侵入や冷気漏れによる結露を防止することができる。
【００４２】
また、請求項２に記載の発明は、箱体の庫内開口部の左右両側に回動自在に枢支された観音開き式の二つの扉と、前記二つの扉の対向する一側面以外の庫内側縁面に設けられ閉扉時に前記箱体の開口部前縁に密着する第１のガスケットと、前記二つの扉の対向する一側面に配置されて閉扉時に相互に密着する一対の第２のガスケットを備えて、前記第２のガスケットは、その両端部近傍において前記第１のガスケットとも当接しするものであり、前記第１のガスケットは、前記第２のガスケットが装着される扉の一側面の庫内側縁面に回り込む延出部を備え、前記延出部と前記第２のガスケットが当接するので、観音開き式の扉間のシールを仕切体を用いずガスケット同志による簡素な構成で行うことができ庫内スペースの有効活用やコスト低減が図れる。
【００４３】
また、閉扉状態においてガスケットと箱体間およびガスケット相互間が密閉シールできる。
【００４４】
また、当接長さが確保でき第１および第２のガスケット間のシールの信頼性を高めて、熱侵入や冷気漏れによる結露を防止することができる。
【００４５】
請求項３に記載の発明は、請求項１または請求項２に記載の発明において、第２のガスケットは、ガスケットより一体に延出したヒレ部によって第１のガスケットの側面と当接するので、ヒレ部の柔軟性によりシールバラツキを吸収でき、信頼性を高めることができる。
【００４６】
請求項４に記載の発明は、請求項１から請求項３のいずれか一項に記載の発明に、さらに、複数対の空気層のうち少なくとも一対に互いに吸着するマグネットを内包したので、マグネットの吸着作用で閉扉時にガスケットが密着し、外部とのシール性が強化され、侵入熱量の低下による電力消費の低減やガスケットの結露防止による品質向上がさらに図れる。
【００４７】
請求項５に記載の発明は、請求項１から請求項４のいずれか一項に記載の発明において、第２のガスケットのうち少なくとも一方をガスケット同志が離れる方向に挙動する可動型のガスケットとしたので、開扉時には可動型のガスケットがガスケット同志の密着を解除する方向に動いて開扉力が低下するため操作性を向上できる。また、閉扉時にはガスケット同志を密着させる方向に動いて適切な位置関係で確実な密着性が得られ、シールの信頼性を高められる。またガスケットが扉の回転軌跡に沿ってこすれないために耐久信頼性が向上し、こすれ音の発生も防止できる。さらに、ガスケット表面がこすれることによる静電気が発生せず汚れが付着することもなくなる。
【００４８】
請求項６に記載の発明は、請求項１から請求項５のいずれか一項に記載の扉装置を備えた冷蔵庫であり、仕切体を用いず二つの扉間がガスケット同志による簡素な構成で、断熱シールされるため、二つの扉間のシールを仕切体を用いずガスケット同志による簡素な構成で行うことができ庫内スペースの有効活用やコスト低減が図れる。また、侵入熱量の低下による電力消費の低減やガスケットの結露防止による品質向上が図れる。
【発明を実施するための最良の形態】
【００４９】
以下、本発明による扉装置および扉装置を備えた冷蔵庫の実施の形態について、図面を参照しながら説明する。
【００５０】
（実施の形態１）
図１は、本発明の実施の形態１による冷蔵庫の外観正面図である。図２は、同実施の形態の冷蔵庫の庫内斜視図である。図３は、同実施の形態の扉装置の裏面斜視図である。図４は、図３のａ−ａ線断面図である。図５は、図１のＡ−Ａ線断面図である。図６は、図１のＢ−Ｂ線断面図である。図７は、扉を動作した時の図１のＡ−Ａ線断面図である。図８は、同実施の形態の冷蔵庫の要部平面図である。図９は、扉装置の分解斜視図である。図１０は、同実施の形態の扉装置のガスケットの斜視図である。図１１は、図１０のＣ−Ｃ線断面図である。図１２は、図１０のＤ−Ｄ線断面図である。図１３は、図１０のＥ部矢視図である。
【００５１】
図１から図１３において、１０１は冷蔵庫本体であり、鋼板製の外箱１０２と樹脂で形成された内箱１０３と、両箱１０２，１０３間に充填される図示しない発泡断熱材とから前方に開口した断熱箱体１０４を構成し、この断熱箱体１０４の上部より複数の貯蔵室１０５ａ，１０５ｂ，１０５ｃが形成されている。そして、最上部の冷蔵室１０５ａは本実施の形態においては、左右縁部に上下ヒンジ１０６により回動自在に枢支された二つの観音開き式扉１０７，１０８によって開閉自在に構成されている。
【００５２】
また、断熱箱体１０４において扉１０７，１０８のそれぞれの非枢支側に位置する部分で断熱箱体１０４の開口部１０５の縁部の上部にはガイド部１０９が設けられている。ガイド部１０９は先端が円形状を形成している突起部１１０が同一形状で冷蔵室１０５ａの左右方向に二つ形成されている。
【００５３】
次に、扉１０７，１０８は扉外板１１１，１１２と、扉１０７，１０８の非枢支側の側面に取り付けられ庫外側に略コの字形状をしたフランジ１１３と凹部１１４ａ，１１５ａを設けた扉側板１１４，１１５と、扉側板１１４，１１５の庫内側外周フランジに当接して成る扉内板１１６，１１７と、扉外板１１１，１１２と扉側板１１４，１１５及び扉内板１１６，１１７間にそれぞれ発泡充填された発泡断熱材１１８とから構成されている。
【００５４】
１１４ｂ、１１５ｂは扉側板１１４，１１５と一体に成形された平面部である。１１４ｃ、１１５ｃは扉側板１１４，１１５と一体に成形され、第１の土手部１１６ｂ、１１７ｂ内まで延びて成形されたガイドリブである。ガイドリブ１１４ｃ、１１５ｃは扉１０７，１０８の上下方向に連続して備えられても部分的に備えられてもよい。１１４ｄ，１１５ｄは凹部１１４ａ，１１５ａの庫外側の開口縁に形成したオーバーハング部である。また、１１６ａ，１１７ａは扉内板１１６，１１７によって扉１０７，１０８の裏面室内側に形成した扉収納部である。１１６ｂ、１１７ｂは扉収納部１１６ａ，１１７ａを区画形成する第１の土手部である。
【００５５】
また、図９において１１７ｃは扉内板１１７の水平方向に備えられた周縁部とヒンジ１０６の枢支側に位置し上下方向に亘って備えられた周縁部を形成した第１の周縁部である。そして非枢支側で第１の周縁部１１７ｃからの角度θを約４５度の角度で斜め上方に向かってトリミングされた第２の周縁部１１７ｄが連続して形成されている。
【００５６】
扉側板１１４，１１５の凹部１１４ａ，１１５ａ内には、溝１１９，１２０を形成するとともに、ガイド部の突起部１１０と扉閉塞時に同一高さになる位置で第１の傾斜面１２１，１２２、第２の傾斜面１２３，１２４を有するラッチ部１２５，１２６の回動軸１２７，１２８を備えた保持部材１２９，１３０が取り付けられている。
【００５７】
保持部材１２９，１３０は開口部１１５を上下に亘る寸法で延在しており、回動軸１２７，１２８を中心にして扉側板１１４、１１５の凹部１１４ａ，１１５ａ内にて回動自在に支持され、さらに、回動軸１２７，１２８の扉側板１１４，１１５からの外れ防止用として外れ防止部材１３１，１３２にて回動軸１２７、１２８の軸受けの役目も兼ねて固定されている。保持部材１２９，１３０の溝１１９，１２０には、庫外側先端に第１のヒレ部１３３ａを設け、庫内側先端には第２のヒレ部１３３ｂを設けている。
【００５８】
１３４はガスケット同志が離れる方向に挙動する一対の可動型の第２のガスケットであり、保持部材の溝１１９，１２０に取り付けられている。また、第２のガスケット１３４は異極に磁化されたマグネット１３４ａを内蔵して互いに向かい合う形で保持部材１２９，１３０とほぼ同一長さ寸法で取り付けられている。また異極に磁化されたマグネット１３４ａを備えるかわりに第２のガスケット１３４の一方に鉄部材（図示しない）などの着磁部材を内包してマグネットと密着させてもよい。
【００５９】
また、扉１０７，１０８の裏面上下辺と扉１０７，１０８の枢支側の裏面縦辺には固定型の第１のガスケット１３５が取付けられている。また１３４ｂはマグネット１３４ａの周囲に設けられた空気層であり連続して複数個（本実施の形態の場合は片側３個ずつ）備えられている。最も庫外側の空気層１３４ｂ内にはマグネット１３４ａが上下方向に亘って内包されている。第２のガスケット１３４に内包されるマグネットは対向して複数個配置されてもよい。
【００６０】
また、第２のガスケット１３４の表面で扉閉時、第２のガスケット１３４同志が密着する当接面１３４ｃは、平面状に形成されている。ここで当接面１３４ｃの貯蔵室側の端部には第２のガスケット１３４の上下にわたって突片１３４ｄが一体に形成されている。
【００６１】
そして、可動ガスケット１３４の上下端面は溶着により封止され内部にマグネット１３４ａを保持するようになっている。
【００６２】
回動軸１２７，１２８にはコイルバネから成るバネ部材１３６，１３７が挿通され、一端を扉側板１１４，１１５に、他端を保持部材１２９，１３０にそれぞれ接している。さらに第２のガスケット１３４の第１のヒレ部１３３ａはオーバーハング部１１４ｄ，１１５ｄに凹部１１４ａ，１１５ａの内側より当接することにより庫外と凹部１１４ａ，１１５ａ間をシールする。また第２のヒレ部１３３ｂは扉側板の平面部１１４ｂ，１１５ｂの表面と当接することにより冷蔵室１０５ａとを凹部１１４ａ，１１５ａ間をシールする。
【００６３】
また、第２のガスケットのマグネット１３４ａと回動軸１２７，１２８間の距離に対して回動軸１２７，１２８と冷蔵室１０５ａに設けた突起部１１０間の距離を大きくしている。
【００６４】
また、１３８は化粧部材であり扉側板１１４，１１５に固定具１３９によって取り付け固定され、突出部１１６ｂ，１１７ｂ間に扉１０７，１０８の上下方向に亘って備えられ、突出部１１６ｂ，１１７ｂ間の空間距離を狭めるように形成されている。
【００６５】
また、１４０は結露防止用の加熱体であるヒーター線であり、図６のように扉側板の断熱材１１８側で扉外板１１１の近傍に扉側板１１４の長さ方向に亘って熱伝導部材（本実施の形態の場合アルミ箔テープ１４０ａ）で貼付されている。
【００６６】
図１０において、第１のガスケット１３５のうち上辺ガスケット部１３５ａ、縦辺ガスケット部１３５ｂ、下辺ガスケット部１３５ｃの断面形状は図１１に示す形状であり、上辺ガスケット部１３５ａ、下辺ガスケット部１３５ｃの一端から垂直方向にわずかに延びた延出部１３５ｄの断面形状は図１２に示す形状となっている。また、延出部１３５ｄの端面形状（斜線部）は図１３に示す形状である。
【００６７】
図１１において、１４１は磁化されたマグネットであり、第１のガスケット１３５の全辺に挿入されている。上辺ガスケット部１３５のマグネット１４１の下部には空気層１４２があり、アンカー部１４３が形成されている。１４３ａは外向きに突出した係合片である。空気層１４２の端面はマグネット１４１の端面より出っ張って湾曲しており扉閉時の衝撃を吸収できるようになっている。上辺ガスケット１３５ａ、縦辺ガスケット部１３５ｂ、下辺ガスケット部１３５ｃは軟質部材（本実施の形態の場合は軟質塩ビ）で形成されている。
【００６８】
図１２において、延出部１３５ｄでマグネット１４１の下部にある空気層１４４の端面は、マグネット１４１の端面と同面に成形されている。また扉の所定の位置に係合されるアンカー部１４５には先端近傍に第１の係合片１４６を形成し、基部１４７と第１の係合片１４６の間には第２の係合辺１４８が形成されている。延出部１３５ｄは上辺ガスケット１３５ａ、縦辺ガスケット部１３５ｂ、下辺ガスケット部１３５ｃと同様に軟質部材で成形されているが、基部１４７と第２の係合辺１４８は硬質部材（本実施の形態の場合は硬質塩ビ）で成形されている。
【００６９】
図１３は延出部１３５ｄの端面を示しており、端面は溶着された溶着面１４９を形成している（斜線図）。
【００７０】
また、図４は扉１０８が閉じた状態の第２のガスケット１３４と第１のガスケット１３５の関係を表した図である。この状態では第２のガスケットの貯蔵室側に位置する空気層１３４ｂの側面に位置する第２のヒレ部１３３ｂと第１のガスケットのマグネット１４１を内包する面とにおいて、第１のガスケット１３５の延出部１３５ｄの長さに亘って圧接した状態で維持されている。
【００７１】
なお、扉１０８の表面には冷蔵庫の設定温度などを設定する設定機能や運転状況や食品に関する情報などを表示させる表示機能を備えた操作パネル１０８ａが備えられている。
【００７２】
以上のように構成された扉装置を備えた冷蔵庫について、以下その動作を説明する。
【００７３】
図５のように観音開き式扉１０７，１０８が両方とも閉塞状態にあるときはバネ部材１３７ａ，１３７ｂの復元力によって第２のガスケット１３４の表面は互いに密着状態となって冷蔵室１０５ａをシールし、さらに、第２のガスケットの第１のヒレ部１３３ａが扉側板の凹部のオーバーハング部１１４ｄ，１１５ｄと内側より当接し、第２のヒレ部１３３ｂが平面部１１４ｂ、１１５ｂの表面と当接することすることにより扉側板の凹部１１４ａ，１１５ａ内を通じて庫内外の空気が連通することがなくなり、庫外と冷蔵室１０５ａ間をシールし外気熱の侵入や冷気漏れを防止することができる。
【００７４】
また、第２のガスケット１３４内に内蔵された異極同士のマグネット１３４ａの接合により第２のガスケット１３４は互いに吸着状態となるため冷蔵室１０５ａのシール性を高めることができる。マグネット１３４ａは第２のガスケット１３４内で冷蔵室１０５ａ側から空気層１３４ｂを複数個連続して備えられるので冷蔵室１０５ａの冷気でマグネット１３４ａが直接冷やされることはなく、したがって結露などの問題を回避できる。
【００７５】
また図５のように扉閉状態になった時、庫外側にあるマグネット１３４ａの接合により、貯蔵室側の空気層１３４ｂは、逆に離れ勝手になる傾向があるが、高さ約１ｍｍの突片１３４ｄによって第２のガスケット１３４間に生じる隙をシールして冷蔵室１０５ａ内の冷気が隙間に侵入するのを防ぐことができ、第２のガスケット１３４の周辺に結露が生じるのを防止することができる。
【００７６】
次に図７に示すように、扉１０７を開けていくと、やがて保持部材１２９はラッチ部１２５の傾斜面１２３がガイド部の突部１１０に沿った動作を行うため、回動軸１２７を支点にして回動する。これにより第２のガスケット１３４は互いの密着状態が強制的に解除されることにより扉開時において第２のガスケット１３４の表面が互いにこすれることがなくなり、ガスケットの耐久強度が向上する。また、ガスケット表面がこすれて静電気が発生し汚れが付着することもなくなる。また、こすれによる摩擦音の発生もなくなる。さらには、扉開放力を低減することができ使用者の使い勝手の向上が図れる。
【００７７】
また、図８に示すように第２のガスケット１３４に備えられたマグネット１３４ａは閉扉状態で両扉のヒンジ１０６を結ぶ線上に位置しているので可動ガスケット１３４の閉状態において効果的にマグネット１３４ａの当接部を圧接してシール性を高めることができる。
【００７８】
そしてさらに扉１０７を開けていくとバネ部材１３７ａの復元力によって傾斜面１２１がガイド部１０９の突部１１０に沿った動作を行うため、回動軸１２７を支点にして保持部材１２９は扉閉塞状態と同じ状態に復帰する。これにより扉側板１１１と保持部材１２９との間に異物が入り込む事がなくなる。これは扉閉塞状態においても同じことが言える。
【００７９】
次に、扉１０７を閉めていくと、傾斜面１２１と傾斜面１２３がガイド部の突起部１１０に沿った動作を行うことにより、扉開けていく状態と同様の効果が得られる。
【００８０】
また、図６のように扉が閉塞状態、開放状態の両状態時において回動軸１２７，１２８は外れ防止部材１３１，１３２によって固定されている。これにより、バネ部材１３７ａ，１３７ｂの復元力により保持部材１２９，１３０が扉側板１１４、１１５から外れることなく安定しスムーズな回動が得られる。
【００８１】
また回動軸１２７，１２８は扉側板１１４，１１５に囲まれ扉１０７，１０８内で貯蔵室４５ａ側に配置されるので、第２のガスケット１３４は扉開閉動作に応じてガスケット当接面をこじて強く摺動させることなく動作させることができるのでガスケットの信頼性を確保でき、余分な力を加えることなく扉開閉を実現することができる。
【００８２】
またこのとき、ガスケット同志の当接面の肉厚を当接しない面の肉厚より厚くして、摺動による当接面の破損を防止しシール性の確保を行うことが出来る。
【００８３】
なお、可動型の第２のガスケットの回動軸１２７，１２８，保持部材１２９，１３０、外れ防止部材１３１，１３２などの回動機構が扉側板の凹部１１４ａ，１１５ａ内に収容されているため扉１０７，１０８の厚み内に収まり、庫内側の有効スペースを侵害したり、庫外に突出して邪魔になることもない。
【００８４】
また、図９には扉１０８の分解図を表している。扉１０８の組立て工程において扉外板１１２に上キャップ１１２ａ、下キャップ１１２ｂ、扉側板１１５を所定の位置に固定し外板１１２内に発泡断熱材１１８を注入して、扉内板１１７を上から嵌め、冶具で固定される。この時、扉側板１１５に備えられたガイドリブ１１５ｃによって突出部１１７ｂが所定の位置に係合される。
【００８５】
また真空成形される扉内板１１７は従来の扉内板と異なって、扉側板１１５が扉内板１１７と係合される。この時、扉側板１１５の側面形状によって扉内板１１７をそれにあった形状にトリミングする必要がある。上記のように扉内板１１７を扉側板１１５と接合するために第１の周縁部１１７ｃと第２の周縁部１１７ｄは段差を介して連続する部分が生じる。そこで扉内板１１７の成形時、真空成形された扉内板１１７の外枠を順にトリミングしていくが、この段差の角度を例えば９０度すなわち第１の周縁部１１７ｃと第２の周縁部１１７ｄが直角に連通している場合、トリミング後の扉内板１１７のトリミング部分はバリが生じたり非常に煩雑な状態になる。成形後の品質状態を確保するにはこの段差の角度を４５度以下でトリミングすれば上記のようにバリが生じたりすることがなく、精度よく接合が可能となる。
【００８６】
その後、成形された扉１０８には化粧部材１３８が係止具１３９によって固定され、扉１０７，１０８を閉じたときの突出部５６ｂ、５７ｂ間の隙を狭めることができる。これによってこの間を循環する冷気によって第２のガスケット１３４が冷やされるのを低減することができ、第２のガスケット１３４の結露防止や吸熱量の低減を図ることができる。同時に化粧部材１３８は扉側板１１４，１１５を表面から覆うので凹凸の形状のある外観を覆って意匠的に見栄えをよくすることができる。
【００８７】
また、図１２のよう空気層１４４の側端面は、マグネット１４１の側端面と面一に成形されていることで、第２のガスケット１３４との間に隙間が形成されないよう配慮されているので図４に示すように、第２のガスケット１３４と第１のガスケットの延出部１３５ｄは第２のヒレ部１３３ｂとマグネット１４１、空気層１４４の側端面とが圧接して構成されている。これにより第２のガスケット１３４と第１のガスケットの延出部１３５ｄの間から冷気が漏れることはなく、冷蔵室１０５ａ内をシールすることができる。
【００８８】
また、扉閉時は圧接、扉開放時は非接触を繰り返す頻度の高い所に第２のヒレ部１３３ｂのように柔軟性がある部分で対応しているので、扉開閉を繰り返されても破れや破損等が起こることはなく、ガスケットの耐久信頼性を高めることができる。
【００８９】
また基部１４７と第２の係合片１４８は硬質塩ビなどの硬質部材で成形され、さらにアンカー部１４５には上下に第１の係合片１４６，第２の係合片１４８の２段の係合片が形成されているので、延出部１３５ｄのように寸法が短い場合でも、扉の所定の位置に挿入されたアンカー部１４５は外れることはない。また、第１の係合辺１４６は軟質部材で成形されているので、取付け挿入時の作業性がよい。
【００９０】
上辺ガスケット部１３５ａ，縦辺ガスケット部１３５ｂ，下辺ガスケット部１３５ｃ，延出部１３５ｄはそれぞれ端面を繋いで、内部にマグネット１４１を挿入して溶着している。図１３のように延出部１３５ｄの端面は軟質部材（本実施の形態の場合は軟質塩ビ）で端面溶着して塞いでいるので、内部に挿入されたマグネット１４１を保持し、空気層を密封できる。
【００９１】
また、図１と図６に示すようにヒーター線１４０は扉１０７に配設されているので、第２のガスケット１３４に生じる結露やフランジ１１３付近に生じる結露を防止することができる。そして扉１０７のヒーター線１４０に対して操作パネル１０８ａは扉１０８に備えられている。これにより交流電源によるヒーター線１４０と操作パネル１０８ａに配設される直流電源によるリード線（図示しない）とを分離することができ、この間に生じやすい交流から直流に対するノイズによる操作パネル１０８ａへの誤動作障害を無くすことが出来る。
【００９２】
このように、従来のシール構造に比べて簡素な構成となるためコスト的に安価にまとめることができる。また、確実な密着シール構造が実現できるためガスケットを通じての熱通過量を低減することができ、侵入熱量の低減による電力消費の低減やガスケット周辺の結露防止による品質向上を図ることができる。併せて、ガスケットの摩擦，摺動による耐久信頼性を高めることができる。
【００９３】
そして、以上の構成、動作により従来、扉間に設けられていた仕切体を廃止することができる。それにより冷蔵室１０５ａの間口が広く利用でき、冷蔵室１０５ａ内の食品収納スペースや扉裏面の扉収納部１１６ａ，１１７ａの収納スペースが増大し使用者の使い勝手や収納性の向上が図れる。また、仕切体がなくなるので扉間の隙が一対の第２のガスケット１３４の厚さのみとなるので吸熱量の低減を図ることができる。
【００９４】
また、第２のガスケットのマグネット１３４ａと回動軸１２７，１２８間の距離に対して回動軸１２７，１２８と冷蔵室１０５ａに設けた突起部１１０間の距離を大きくしたので、回動軸１２７，１２８を支点にしたてこの原理で軽い力で扉１０７，１０８を開放することができる。前述のこの距離比を約２倍に設定すれば本実施の形態のように収納負荷が多く且つ重量も重いために開閉に力を要する冷蔵室において、扉開閉の軽さと開閉の安定感が適度にバランスし操作性のよい扉装置が提供できる。
【００９５】
さらに、第２のガスケット１３４の相互の密着状態を確保するために扉全体を開閉時に変位させる必要がなく、そのためにヒンジ機構が複雑になって耐久信頼性が低下したりコスト的にも高価につくことがない。また、使用者の操作時に扉全体を変位させることによる操作感の重さや動作の不安感が解消される。
【００９６】
また、最上部の貯蔵室である冷蔵室１０５ａにこの扉装置を設けることによって、使用者が対面して見渡せる使用頻度の高い貯蔵室の広々感が向上し、使い勝手を一段と高めることができる。
【００９７】
また、ラッチ部１２５，１２６に対するガイド部１０９を冷蔵室１０５ａ内の上面に設けたので、冷蔵室１０５ａ内への物品の出し入れの邪魔にならず、収納性に影響を及ぼすことがない。
【００９８】
また、以上の構成、動作を片側の扉のみに設けた場合は第２のガスケット１３４が回動するために必要な構成部品が半減できることで組み立て性の向上、材料費の低減を図ることができる。
【００９９】
なお、本実施の形態において第２のガスケット１３４は二つの観音開き式扉１０７，１０８間に設けたが、二つの引き出し式扉間に設けることによって同様の効果が得られ、引き出し扉間の仕切体を廃止することができ、引き出し扉と一体に出入りする収納容器の上下方向の有効寸法を拡大して食品収納スペースを増大させることができる。
【０１００】
（実施の形態２）
図１４は、本発明の実施の形態２による冷蔵庫の外観正面図である。図１５は同実施の形態の冷蔵庫の扉を外した状態の斜視図である。図１６は、同実施の形態の扉装置の裏面斜視図である。図１７は図１４のＣ−Ｃ線断面図である。図１８は図１６の点線で示した要部拡大図である。図１９は図１７の開閉動作を示す断面図である。
【０１０１】
図１４から図１８において３０１は冷蔵庫本体であり、鋼鈑製の外箱３０２と樹脂製の内箱３０３と、両箱３０２、３０３間に充填される図示しない発泡断熱材とから前方に開口した断熱箱体３０４を構成し、上段より冷蔵室３０５ａ、野菜室３０５ｂ、冷凍室３０５ｃがあり、上段の冷蔵室３０５ａは左右縁部に上下ヒンジ３０６により回動自在に枢支された２つの観音開き式扉３０７，３０８によって開閉自在に構成されている。
【０１０２】
扉３０７，３０８は扉外板３０９、３１０と扉３０７，３０８の非枢支側の側面に取付けられた扉側板３１１、３１２と扉内板３１３、３１４と、外板３０９、３１０と側板３１１、３１２及び内板３１３、３１４間にそれぞれ発泡充填された発泡断熱材１１８とから構成されている。
【０１０３】
扉側板３１１、３１２は外板３０９、３１０から扉３０７、３０８の非枢支側に向かって内板３１３、３１４に亘って形成され、室外側に段差部３１１ａ、３１２ｂを有している。また３１５、３１６は内板３１３、３１４によって扉３０７，３０８の裏面室内側に形成した扉収納部である。
【０１０４】
３１７は冷蔵室３０５ａの開口部前縁であり、３１８は開口部前縁３１７に密着する第１ガスケットである。第２ガスケット３１９は軟質の合成樹脂（実施例の場合、塩化ビニル）であり、扉３０７、３０８の対向する一側面に配置し閉扉時、相互に密着する。
【０１０５】
３１９ａは第２ガスケット３１９内に複数個備えられた空気層である。３２０、３２１は硬質の合成樹脂（実施例の場合、塩化ビニル）で成形された基部であり、第２ガスケット３１９と押出し成形で一体に成形されている。３１９ｂは第２ガスケット３１９のマグネットであり、庫外側に最も近い空気層３１９ａに内包されている。また基部３２０と第２ガスケット３１９はマグネット３１９ｂを内包する空気層３１９ａで接続する接続部３２０ａ、３２１ａを有している。
【０１０６】
そしてマグネット３１９ｂは第２ガスケット３１９内でＮ極、Ｓ極の順序が互いに異なるように収納されており、すなわち図１７の状態で第２ガスケット３１９が向かいあったときＮ極、Ｓ極が互いに向かい合うように収納されている。
【０１０７】
３２２、３２３は基部３２０、３２１と一体成形された軟質の合成樹脂（実施例の場合、塩化ビニル）の第１のヒレ部であり、段差部３１１ａ、３１２ａに接している。
【０１０８】
３２４、３２５は基部３２０、３２１を回動させる回動軸であり軸部材３２４ａ、３２５ａを挿通して段差部３１１ａ、３１２ａ内に備えられている。また基部３２０、３２１は冷蔵室３０５ａの開口部を上下に渡る寸法で延在しており、回動軸３２４、３２５を中心にして段差部３１１ａ、３１２ａ内で回動自在に支持される。
【０１０９】
ハンドル３２６、３２７は取手部３２６ａ、３２７ａと作用部３２６ｂ、３２７ｂで構成され断面略Ｌ字状に形成されており、扉３０７、３０８の非枢支側で扉高さの中央部から下部に渡って形成されている。また作用部３２６ｂ、３２７ｂは基部３２０、３２１に一体成形された軟質の合成樹脂（実施例の場合、塩化ビニル）で形成された第２のヒレ部３２８、３２９と接している。第２のヒレ部３２８、３２９は基部３２０、３２１を介して第１のヒレ部３２２、３２３と反対側に備えられている。
【０１１０】
３３０，３３１は回転軸であり、コイルバネからなるバネ部材３３２、３３３が挿通され、一端を扉側板３１１、３１２に、他端を作用部３２６ｂ、３２７ｂに接している。３３４、３３５は第１の化粧板であり、内板３１３、３１４の上下に亘る寸法で扉側板３１１、３１２の間に備えられている。３３６，３３７は断熱材１１８内に埋設された扉側板３１１，３１２の前部で外板３０９、３１０を介して配置された第２の化粧板である。
【０１１１】
図１８で３１０ａは外板３１０の上部に嵌められた上キャップであり、第２ガスケット３１９の上端は上キャップ３１０ａ内に係合支持されている。そして第２ガスケット３１９の裏面には上部近傍から上端部にかけて支持部材３３８が配置され第２ガスケット３１９に密着固定されている。実施例の場合、支持部材３３８はＰＰ樹脂で形成され、接着剤で固定されているが、ＡＢＳ樹脂やその他樹脂材料でもよく、また硬質の合成樹脂（例えば塩化ビニルなど）を第２ガスケット３１９の裏面に一体成形してもよい。また第１ガスケット３１８と支持部材３３８が重なる部分を密着固定すればなお良い。
【０１１２】
また、図１８では扉３０８で説明したが上記の構造は扉３０７側にも形成されるものである。
【０１１３】
以上のように構成された冷蔵庫について、以下動作を説明する。
【０１１４】
扉３０７、３０８が両方とも閉塞状態にあるときは第２ガスケット３１９は互いに密着状態となり冷蔵室３０５ａ内をシールすることができる。また第１のヒレ部３２２，３２３と第２のヒレ部３２８、３２９の２段のシール構造で冷蔵室３０５ａ内の冷気が段差部３１１ａ、３１２ａ内に侵入しても冷蔵室３０５ａをシールすることができる。
【０１１５】
次に図１９のように扉３０７をハンドル３２６の取手部３２６ａに手をかけて手前に引張って開けて行くと回転軸３３０を中心に矢印のように可動し、作用部３２６ｂが第２のヒレ部３２８を圧接し、基部３２０を回動軸３２４を中心に回動させて第１のヒレ部３２２を段差部３１１ａに押し当て第２のガスケット３１９をシール状態から引き離して行く。
【０１１６】
この時、扉３０７側の第２ガスケット３１９は接続部３２０ａに引張られてマグネット３１９ｂが対向するマグネットから引き離されるので、ハンドル３２６に連動して開扉動作を行うことができるので操作性がよい。
【０１１７】
また、第２ガスケット３１９は基部を硬質材で形成しているので保持力が強く、回動軸３２４内に軸部材３２４ａを挿通しているので第２ガスケット３１９の支持強度を高めてスムーズに回動させることができる。硬質材であるため回動軸３２４の加工形成が容易である。
【０１１８】
なお、第２ガスケット３１９の基部にハンドルの作用部が当接する端部は、回動軸３２４が設けられた反対側の端部に設定されるため、ハンドルの回転動作によりてこの原理で容易に第２ガスケット３１９を動かせる。
【０１１９】
そして使用者は取手部３２６ａをさらに手前に引いていくと対向していたマグネット３１９ｂ内の相対向する極性が同極になるので、互いのマグネット３１９ｂは反発しあい可動するハンドル３２６の上下方向の範囲内でシールが解除される。そしてさらに扉３０７を手前に引張って行くとハンドル３２６より上方部のガスケット３１９が扉３０８からシールが解除され、扉３０７を開くことができる。
【０１２０】
そしてハンドル３２６から手を離すとバネ部材３３２の復元力によって、ハンドル３２６は元の状態に戻る。
【０１２１】
次に扉３０７を閉じて行くとマグネット３１９ｂはお互い同極同士が近づくので反撥しあうので第２のガスケット３０７、３０８の表面がこすれることがなくなる。そしてさらに閉じて行くとお互い異極が相対向し、冷蔵室３０５ａのシールをすることができる。
【０１２２】
また扉閉時において、支持部材３３８を備えたことで、例えば外気温度が高い状態など第２ガスケット３１９の空気層３１９ａが膨張して、第２ガスケット３０７、３０８の倒れ込みを防止し、スムーズに扉開閉を行うことができる。
【０１２３】
そして以上の動作よりハンドル３２６自身を可動させることで直接第２ガスケット３１９の密着状態を解除し扉３０７、３０８を開放することができるため使用者は扉操作を楽に行うことができる。
【図面の簡単な説明】
【０１２４】
【図１】本発明の実施の形態１による冷蔵庫の外観正面図
【図２】同実施の形態の冷蔵庫の庫内斜視図
【図３】同実施の形態の扉装置の裏面斜視図
【図４】図３のａ−ａ線断面図
【図５】図１のＡ−Ａ線断面図
【図６】図１のＢ−Ｂ線断面図
【図７】同実施の形態の扉装置の扉を動作した時の図１のＡ−Ａ線断面図
【図８】同実施の形態の冷蔵庫の要部平面図
【図９】同実施の形態の扉装置の分解斜視図
【図１０】同実施の形態の扉装置のガスケットの斜視図
【図１１】図１０のＣ−Ｃ線断面図
【図１２】図１０のＤ−Ｄ線断面図
【図１３】図１０のＥ部矢視図
【図１４】本発明の実施の形態２による冷蔵庫の外観正面図
【図１５】同実施の形態の冷蔵庫の扉を外した状態の斜視図
【図１６】同実施の形態の扉装置の裏面斜視図
【図１７】図１４のＣ−Ｃ線断面図
【図１８】図１６の破線で示した要部拡大図
【図１９】図１７の開閉動作を示す断面図
【図２０】従来の冷蔵庫の斜視図
【図２１】従来の冷蔵庫の庫内正面図
【図２２】従来の冷蔵庫の要部断面図
【図２３】従来の冷蔵庫の扉装置の斜視図
【図２４】従来の冷蔵庫の扉の開放状態を示す平面図
【図２５】従来の冷蔵庫の要部平面図
【符号の説明】
【０１２５】
１０１，３０１  冷蔵庫本体
１０４，３０４  断熱箱体
１０５ａ  冷蔵室
１０６  ヒンジ
１０７，１０８，３０７，３０８  扉
１０８ａ  操作パネル
１１０  突起部
１１４，１１５  扉側板
１１４ａ，１１５ａ  凹部
１１４ｃ、１１５ｃ  ガイドリブ
１１４ｄ，１１５ｄ  オーバーハング部
１１６，１１７  扉内板
１１６ｂ、１１７ｂ  突出部
１１７ｃ  第１の周縁部
１１７ｄ  第２の周縁部
１１５，１１６  ラッチ部
１２７，１２８  回動軸
１２９，１３０  保持部材
１３３ａ，３２２，３２３  第１のヒレ部
１３３ｂ，３２８，３２９  第２のヒレ部
１３４，３１９  第２のガスケット
１３４ａ  マグネット
１３４ｂ  空気層
１３４ｄ  突片
１３５，３１８  第１のガスケット
１３５ｄ  延出部
１３８  化粧部材
１４０  ヒーター線（加熱体）
１４５  アンカー部
１４６  第１の係合片
１４８  第２の係合片
１４９  溶着面
３１１ａ，３１２ａ  段差部
３１７  開口部前縁
３１９ａ  空気層
３１９ｂ  マグネット
３２０，３２１  基部
３２４，３２５  回動軸
３２４ａ，３２５ａ  軸部材
３２６，３２７  ハンドル
３２６ａ，３２７ａ  取手部
３２６ｂ，３２７ｂ  作用部
３３０，３３１  回転軸
【図１】
2005207736.tif 000003
【図２】
2005207736.tif 000004
【図３】
2005207736.tif 000005
【図４】
2005207736.tif 000006
【図５】
2005207736.tif 000007
【図６】
2005207736.tif 000008
【図７】
2005207736.tif 000009
【図８】
2005207736.tif 000010
【図９】
2005207736.tif 000011
【図１０】
2005207736.tif 000012
【図１１】
2005207736.tif 000013
【図１２】
2005207736.tif 000014
【図１３】
2005207736.tif 000015
【図１４】
2005207736.tif 000016
【図１５】
2005207736.tif 000017
【図１６】
2005207736.tif 000018
【図１７】
2005207736.tif 000019
【図１８】
2005207736.tif 000020
【図１９】
2005207736.tif 000021
【図２０】
2005207736.tif 000022
【図２１】
2005207736.tif 000023
【図２２】
2005207736.tif 000024
【図２３】
2005207736.tif 000025
【図２４】
2005207736.tif 000026
【図２５】
2005207736.tif 000027